(57)【要約】【課題】ＨＤＤ装置とＤＶＤ装置とを備えた記録再生装置において、ＤＶＤをプログラムストリーム（ＰＳ）形式で再生しながら、デジタル放送をそのままのストリーム形式（ＴＳ形式）で、裏番組としてＨＤＤ装置に記録できる記録再生装置を提供する。【解決手段】デジタル放送を受信するデジタル放送チューナ１と、映像／音声信号をデジタル信号で記録再生するＨＤＤ装置２及びＤＶＤ装置３と、ＨＤＤ装置２又はＤＶＤ装置３から再生されたストリーム信号をデコードし、映像／音声信号を生成するＭＰＥＧデコーダ８とを備え、ＤＶＤ装置３から読出されたプログラムストリーム（ＰＳ）形式の信号をデコーダ８でデコードし、映像／音声信号として出力するとともに、デジタル放送チューナ出力のトランスポートストリーム（ＴＳ）形式の信号をＴＳ形式のままＨＤＤ装置３に記録する。【選択図】図１
2008228331.tif 000002
【特許請求の範囲】
【請求項１】
デジタル放送を受信するデジタル放送チューナと、映像／音声信号をデジタル信号で記録再生する第１の記録再生手段と、第２の記録再生手段とを備え、前記第１又は第２の記録再生手段から再生されたストリーム信号をデコードし、映像／音声信号を生成するデコーダとを備える記録再生装置において、
前記第２の記録再生手段から読出されたプログラムストリーム（ＰＳ）形式の信号を前記デコーダでデコードし、映像／音声信号として出力すると同時に、前記デジタル放送チューナ出力のトランスポートストリーム（ＴＳ）形式の信号をＴＳの形式で前記第１の記録再生手段にて記録する
ことを特徴とする記録再生装置。
【請求項２】
請求項１記載の記録再生装置において、
前記第１の記録再生手段がＨＤＤ装置であり、前記第２の記録再生手段がＤＶＤ装置であることを特徴とする記録再生装置。
【発明の詳細な説明】
【技術分野】
【０００１】
本発明は、デジタル放送を受信し、ＨＤＤ装置とＤＶＤ装置とを複合した記録再生装置に関する。
【背景技術】
【０００２】
現在、放送の方式として、高画質・高音質のデジタルハイビジョン放送（ＨＤ放送）と、地上波と同等のデジタル標準放送（ＳＤ放送）がある。これら放送方式におけるＭＰＥＧシステムでは、広範囲なアプリケーションに対応できように２種類の方式が規定されている。１つはプログラムストリーム（以下、ＰＳと称する）であり、１つのストリームの中に唯一つのプログラムを構成している。もう１つはトランスポートストリーム（以下、ＴＳと称する）であり、１つのストリームの中に複数のプログラムで構成されているものである。
【０００３】
また、放送内容を記録する際の記録媒体として、ハードディスク，ＤＶＤ，ビデオテープ等が用いられる。ＤＶＤへの記録システムは、ＤＶＤの互換性を考慮し、ＭＰＥＧシステムとしてＰＳの採用が規格化されている。一方、記録媒体としてのハードディスクは、装置に固定的に設置されるため、記録媒体としての互換性は考慮外であるから、ＰＳかＴＳかが規格化されている訳ではない。
【０００４】
デジタル放送に対応する記録再生装置は、ＨＤＤ装置あるいはＤＶＤ装置の単一装置にデジタルチューナを搭載し、デジタルチューナで特定のＴＳを選択して、特定ＴＳ内の例えば、ＣＨ−Ａ（チャンネルＡ）、ＣＨ−Ｂ、ＣＨ−Ｃのうち１つのチャンネルを抜き出して記録するようになっている。
【０００５】
ＨＤＤ装置とＤＶＤ装置とを備えた複合装置の従来技術としては、図６に示すように、ＨＤＤ装置６５とＤＶＤ装置６８とを備えた複合機において、アナログチューナ６１で特定のチャンネルを選択し、ＭＰＥＧエンコーダ６２でＰＳを出力し、ＨＤＤ書込み制御部６３を通してＨＤＤ装置６５に放送番組をＰＳで記録する。更に、ＨＤＤ装置６５の記録内容はＰＳとして再生し、ＨＤＤ読出し制御部６４よりＭＰＥＧデコーダ６６を通して映像信号として出力される。一方、ＤＶＤ装置６８からはＰＳでＤＶＤ読出し制御部６７よりＭＰＥＧデコーダ６６を通して映像信号として出力している。
【０００６】
更に、ＤＶＤ−ＲＡＭ装置とハードディスク装置とを併用した構成となっている複合機において、アナログチューナを通して放送番組を選択し、その後にデジタル信号化して同一フォーマットで両記録媒体に記録することが開示されている（例えば、特許文献１参照）。
【特許文献１】特開２００２−１０９８３１号公報
【発明の開示】
【発明が解決しようとする課題】
【０００７】
上述した図６に示す従来技術及び特許文献１においても、ＨＤＤ装置とＤＶＤ装置とを備えた複合機ではあるが、いずれもアナログチューナを搭載した複合機であり、デジタル放送に対応されておらず、また、装置として同一のストリーム（ＰＳ）を使用しており、複合機にデジタルチューナを搭載し、デジタル放送を記録することはできなかった。
【０００８】
また、従来のＨＤＤ装置とＤＶＤ装置の複合機では、ＤＶＤをＰＳ形式で再生しながら、デジタル放送をそのままのストリーム形式（ＴＳ形式）で記録するという機能を備えていなかった。
【０００９】
更に、裏番組を記録する際でも、裏番組として録画している詳細の状況を確認する機能を備えていなかった。更に、ＨＤＤ装置の録画とＤＶＤ装置の再生が独立して動作するため、ＤＶＤ装置再生中は、デジタル放送が見られず、視聴できない時間が発生するという課題があった。
【００１０】
本発明の目的は、ＨＤＤ装置とＤＶＤ装置を備えた複合装置で、ＤＶＤ装置の再生画面を視聴しながら、デジタル放送をそのままのストリーム形式（ＴＳ形式）でＨＤＤ装置に記録できる装置を提供することにある。
【課題を解決するための手段】
【００１１】
前記課題を解決するために、本発明は次のような構成を採用する。  
デジタル放送を受信するデジタル放送チューナと、映像／音声信号をデジタル信号で記録再生する第１の記録再生手段と、第２の記録再生手段とを備え、前記第１又は第２の記録再生手段から再生されたストリーム信号をデコードし、映像／音声信号を生成するデコーダとを備える記録再生装置において、前記第２の記録再生手段から読出されたプログラムストリーム（ＰＳ）形式の信号を前記デコーダでデコードし、映像／音声信号として出力すると同時に、前記デジタル放送チューナ出力のトランスポートストリーム（ＴＳ）形式の信号をＴＳの形式で前記第１の記録再生手段にて記録する構成とする。さらに、前記記録再生装置において、前記第１の記録再生手段がＨＤＤ装置であり、前記第２の記録再生手段がＤＶＤ装置である構成である。
【発明の効果】
【００１２】
本発明によれば、ＨＤＤ装置とＤＶＤ装置を備えた記録再生装置において、ＤＶＤ装置の再生画面を視聴しながら、デジタル放送をそのままのストリーム形式（ＴＳ形式）で、裏番組としてＨＤＤ装置に記録できる装置を実現できる。
【００１３】
また、デジタル放送のストリームを変換することなく、ＨＤＤ装置にＴＳで記録できるため、回路構成は非常に簡略化されてコストも抑えることができる。
【００１４】
また、ＤＶＤ装置の再生画面に、裏番組としてＨＤＤ装置に記録している状態をユーザに告知できるため、ＨＤＤ装置の記録状態を常に表示画面上で確認をすることができる。
【００１５】
また、ＤＶＤ装置の再生により、デジタル放送の視聴が中断した部分の視聴を可能とするタイムシフト視聴を実現することができる。
【発明を実施するための最良の形態】
【００１６】
本発明の実施形態に係るＨＤＤ装置とＤＶＤ装置とを複合した記録再生装置について、図１〜図５を参照しながら以下詳細に説明する。図１は本発明の第１の実施形態に係る記録再生装置の全体構成とストリーム形式を示すブロック図である。図２は本発明の第２の実施形態に係る記録再生装置の全体構成とストリーム形式を示すブロック図であり、図３は第２の実施形態におけるＤＶＤ装置の再生画面中においての、ＨＤＤ装置の記録状況の表示例を示す図であり、図４は第２の実施形態における詳細な構成例を示すブロック図である。図５は本発明の第３の実施形態に係る記録再生装置の全体構成とストリーム形式を示すブロック図である。
【００１７】
図１〜図２及び図４〜図５において、１はデジタル放送を受信するデジタル放送チューナ、２はＨＤＤ装置（ハードディスク装置）、３はＤＶＤ装置、４は制御処理部、５は映像信号出力、６はＨＤＤ書込み制御部、７はＨＤＤ読出し制御部、８はＭＰＥＧデコーダ、９はＤＶＤ読出し制御部、１０は表示制御部、１１は再生検出部、１２は視聴開始・終了時刻記録部、１３は録画再生制御部、１４は録画位置記憶部をそれぞれ表す。
【００１８】
図１において、本発明の記録再生装置は、デジタル放送チューナ１、ＨＤＤ装置２、ＤＶＤ装置３、制御処理部４、映像信号出力部５を備える。トランスポートストリーム（ＴＳ）形式であるデジタル放送は、デジタル放送チューナ１によって受信されて、そのままの形式のＴＳ形式で制御処理部４に出力される。ＨＤＤ書き込み制御部６は、記録（録画）に必要なストリームを振り分けてＨＤＤ装置（ハードディスク装置）２に記録される。
【００１９】
また、ＤＶＤ装置３に書き込まれた録画情報は、ＤＶＤ読出し制御部９によってＰＳ形式で読み出され、ＭＰＥＧデコーダ８によって、映像信号と音声信号にデコードされ、映像信号は映像出力５として出力される。更に、ＨＤＤ装置２に書き込まれた録画情報は、ＨＤＤ読出し制御部７によってＴＳ形式で読み出され、ＭＰＥＧデコーダ８によって、映像信号と音声信号にデコードされて映像信号は映像出力５として出力される。
【００２０】
図１に示すような構成にすることによって、ＤＶＤ装置３を再生しているときでも、デジタル放送をＨＤＤ装置２に記録するための経路は確保され、裏番組として記録することができる。また、ＨＤＤ装置２の記録形式をＤＶＤ装置３と異なるＴＳ形式にすることにより、デジタル放送のストリームを変換することなくＨＤＤ装置２に記録できるため、回路構成は非常に簡略化され、コストも抑えることができる。
【００２１】
次に、図２に示す第２の実施形態は、図１に示す第１の実施形態の構成に、表示制御部１０を追加した構成である。第２の実施形態においても。ＨＤＤ装置２とＤＶＤ装置３との複合機に、デジタル放送チューナ１を備え、異なるストリーム形式でそれぞれの記録媒体に記録することは、第１の実施形態と同様である。
【００２２】
第２の実施形態の特徴である表示制御部１０は、ＨＤＤ書込み制御部６からの信号を受けて、ＭＰＥＧデコーダ８の信号と加算され、映像信号出力５として出力される。ＨＤＤ書込み制御部６が、ＨＤＤ装置２にストリームを書き込んでいるときに、表示制御部１０に書き込み中である旨を通知するとともに、そのストリームの内容（受信信号モード、例えばＨＤ又はＳＤ）、転送レート、書き込み開始時間、書き込み終了時間、ハードディスクの残量等の管理情報が通知される。表示制御部１０は、ユーザのリモコン操作等の設定により、この管理情報を、ＤＶＤ装置３の再生映像に重ねて表示する機能を有するものである。
【００２３】
図３は、第２の実施形態の構成により、ＤＶＤ装置３の再生画面に、ＨＤＤ装置２の裏番組記録状況の表示を行った場合の画面表示の一例である。図３の画面表示例によれば、ＤＶＤ装置３の再生画面右上に、ＨＤＤ装置２の記録状況の情報を表示しており、例えば、ＨＤ放送のＢＳ１０３チャンネルを１０時３０分から記録していて、記録終了は１５時００分になる予定であり、現在時刻の１４時００分からすると、記録放送の残り時間は１時間００分であり、ＨＤＤ装置２に記録できる残り時間が６時間００分であることを表示している。また、ＨＤＤ装置２への記録は、ＢＳ放送の1つだけとは限らず、外部入力端子に接続される他の記録情報（図３に示すＡＵＸ１）を表示することも可能である。
【００２４】
図２及び図３に示すように、裏番組としてＨＤＤ装置２に記録している状態をユーザに告知できるため、ＨＤＤ装置２の動作状態の確認をすることができる。また、ハードディスクの容量が不足する場合の警告表示（ハードディスクの残量が残り少ない時間となったことを検知して警告表示）を行えるため、ユーザは、ＤＶＤ装置３の再生を止めて、デジタル放送の画像をＤＶＤ装置３への記録へと切り替えること（図２には図示していないが、デジタル放送チューナ１からのＴＳをＰＳに変換する変換器を通してデジタル放送チューナ１からの放送番組をＤＶＤ装置３に記録すること）が可能である。
【００２５】
図４は図３の画面表示例を実現するブロック図であり、ＨＤＤ書込み制御部６には、デジタル放送チューナ１からＢＳ１０３ＣＨを含んだＴＳ（トランスポートストリーム）１が入力されるとともに（表示例はＢＳ１０３ＣＨ）、ビデオ入力部（ＡＵＸ１）に入力される外部入力信号（例えばＶＴＲより），アナログ放送チューナ（具備していれば）からの信号が、ＭＰＥＧエンコーダでエンコードされ、エンコードされたＴＳ２が入力される。
【００２６】
ＨＤＤ書込み制御部６は、ＨＤＤ装置２にＴＳ１とＴＳ２を時分割で転送し、ＨＤＤ装置２は、ＴＳ１とＴＳ２について管理情報と映像・音声データ（ＡＶデータ）を区分けして記録する。管理情報には、放送モード（ＨＤ、ＳＤ等）、番組名、記録開始・終了時刻、ハードディスクの残量等が、ＨＤＤ書込み制御部６によって、ＨＤＤ装置２に書き込まれる。デジタル放送のＴＳには、放送モード、番組名が記述されており、デジタル放送を記録する際には、この情報を用いることができる。
【００２７】
外部入力やアナログチューナから入力する場合は、上記、記述は含まれていない為、番組名はユーザによって入力された番組名が書き込まれ、放送モードには、判別回路（図示せず）で判別される外部入力のＨＤかＳＤかの判別結果が書き込まれる。
【００２８】
記録開始・終了時刻は、放送の場合はＴＳに含まれている番組の放送時刻を用いてもよいし、ユーザ設定による指定時刻を用いてもよい（番組の途中から、あるいは途中まで録画する場合）。外部入力等のアナログ信号が入力される場合は、番組放送時刻は取得できないので、ユーザ設定時刻を用いる。また、ハードディスクの残量は、ＨＤＤ装置２より取得される。
【００２９】
管理情報取得部１５では番組チャンネル、放送モード（ＨＤ、ＳＤ等）、記録開始・終了時刻、ハードディスクの残量、番組名等をＨＤＤ装置２に書き込まれている管理情報から取得する。一方、時刻取得部１６は、デジタル放送チューナ１の出力信号であるＴＳから現在時刻を取得する。管理情報取得部１５と時刻取得部１６で得られた情報は、表示制御部１０に入力され映像信号出力５として出力され、図３に示す画面表示を実現することができる。
【００３０】
次に、図５に示す第３の実施形態は、図１に示す第１の実施形態の構成に対して、ＤＶＤ装置３の再生状態を検出する再生検出部１１と、再生検出部１１の検出結果に基いて、再生が開始された時刻と再生が終了した時刻を記録する視聴開始・終了時刻記録部１２と、ＤＶＤ装置３の再生開始時刻と再生終了時刻に対応して、ＨＤＤ装置２に記録した位置を記憶する記録位置記憶部１４と、ＤＶＤ装置３の再生開始、終了時刻、記録位置情報に基づいてＨＤＤ装置２の録画再生を制御する録画再生制御部１３と、を追加した構成である。この構成によってＤＶＤ装置３の視聴とＨＤＤ装置２によるタイムシフト視聴との連携を可能としたものである。
【００３１】
第３の実施形態においても、ＨＤＤ装置２とＤＶＤ装置３との複合機に、デジタル放送チューナを備えて異なるストリーム形式で、それぞれの記録媒体に記録することは、第１の実施形態と同様である。なお、図２に示す構成に前記追加構成を付加しても良い。
【００３２】
図５において、ＤＶＤ装置３の再生を行う以前に、デジタル放送を視聴又は視聴しながらＨＤＤ装置２にて記録していた場合、ＤＶＤ装置３を再生することにより、デジタル放送の視聴は中断される。タイムシフト視聴は、デジタル放送の視聴が中断した部分の視聴を可能とし、自動的に又はユーザ操作によって（タイムシフト視聴することについて自動的に又はユーザの希望する操作によって）、ＤＶＤ装置３の再生を開始した時刻にさかのぼって、再生することで、中断した部分の視聴を可能するものである。
【００３３】
まず、ＤＶＤ装置３の再生を開始すると、視聴開始・終了時刻記録部１２には、ＤＶＤ装置３の再生を開始した時刻が記録され、終了すると終了した時刻が記録される。
【００３４】
最初に、ＨＤＤ装置２に記録しながらデジタル放送を視聴していた場合について説明する。この時においては、記録位置記憶部１４には、再生開始時刻と終了時刻に対応して、ＨＤＤ装置２に記録した位置が記憶されるため、タイムシフト視聴することで、瞬時にデジタル放送の視聴が中断した位置から視聴することができる。なお、ＨＤＤ装置２を用いることにより、記録を継続しながらタイムシフト視聴は可能である。
【００３５】
次に、ＤＶＤ装置３の再生開始以前に、デジタル放送をＨＤＤ装置２に記録せず視聴のみを行っていた場合、録画再生制御部１３は、ＤＶＤ装置３の再生が開始されると、ＨＤＤ装置２に対し記録を開始する制御を行い、デジタル放送の記録を開始する。ＤＶＤ装置３の再生が終了した時、タイムシフト視聴により、記録されたデジタル放送の記録開始位置から再生することで、中断したデジタル放送の視聴が可能となる。
【００３６】
以上説明したように、本発明の実施形態は、デジタル放送を受信するデジタル放送チューナと、映像／音声信号をデジタル信号で記録再生するＨＤＤ装置及びＤＶＤ装置と、前記ＨＤＤ装置又はＤＶＤ装置から再生されたストリーム信号をデコードし、映像／音声信号を生成するデコーダとを備える記録再生装置であって、前記ＤＶＤ装置から読出されたプログラムストリーム（ＰＳ）形式の信号を前記デコーダでデコードし、映像／音声信号として出力するとともに、前記デジタル放送チューナ出力のトランスポートストリーム（ＴＳ）形式の信号をＴＳ形式のまま前記ＨＤＤ装置に記録するものである。
【００３７】
また、ＨＤＤ装置に書き込むＴＳ信号の管理情報を取得して、前記映像・音声信号の出力に重畳する表示制御部を設け、前記ＤＶＤ装置で再生された視聴画面に、前記ＨＤＤ装置への書き込み管理情報を同時に表示させるものである。
【００３８】
更に、ＤＶＤ装置の再生状態を検出する再生検出部と、前記再生検出部の検出結果に基いて、再生が開始された時刻と再生が終了した時刻を記録する視聴開始・終了時刻記録部と、ＤＶＤ装置の再生開始時刻と再生終了時刻にＨＤＤ装置に記録した位置を記憶する記録位置記憶部と、ＤＶＤ装置の再生開始、終了時刻、ＨＤＤ記録位置情報に基づいて、ＨＤＤ装置の録画再生を制御する録画再生制御部とを設け、ＤＶＤ装置の再生により、デジタル放送の視聴が中断した部分の視聴を可能とするタイムシフト視聴機能を有するものである。
【図面の簡単な説明】
【００３９】
【図１】本発明の第１の実施形態に係る記録再生装置の全体構成とストリーム形式を示すブロック図である。
【図２】本発明の第２の実施形態に係る記録再生装置の全体構成とストリーム形式を示すブロック図である。
【図３】第２の実施形態におけるＤＶＤ装置再生画面中のＨＤＤ装置の記録状況表示例を示す図である。
【図４】第２の実施形態における詳細な構成例を示す図である。
【図５】本発明の第３の実施形態に係る記録再生装置の全体構成とストリーム形式を示すブロック図である。
【図６】従来技術に関するＨＤＤ装置とＤＶＤ装置の併用装置における全体構成とストリーム形式を示すブロック図である。
【符号の説明】
【００４０】
１  デジタル放送チューナ
２  ＨＤＤ装置（ハードディスク装置）
３  ＤＶＤ装置
４  制御処理部
５  映像信号出力
６  ＨＤＤ書込み制御部
７  ＨＤＤ読出し制御部
８  ＭＰＥＧデコーダ
９  ＤＶＤ読出し制御部
１０  表示制御部
１１  再生検出部
１２  視聴開始・終了時刻記録部
１３  録画再生制御部
１４  録画位置記憶部
１５  管理情報取得部
１６  時刻取得部
【図１】
2008228331.tif 000003
【図２】
2008228331.tif 000004
【図３】
2008228331.tif 000005
【図４】
2008228331.tif 000006
【図５】
2008228331.tif 000007
【図６】
2008228331.tif 000008